(57)【要約】      （修正有）【課題】陳列スペースが拡大することなく、商品の内容を分かりやすく表示する商品表示板の提供。【解決手段】この商品表示板１０は、基板１１とフック１２とを備える。これらは薄肉の樹脂板等により一体的に形成される。基板１１の中央部に貫通窓１６が形成されている。貫通窓１６の形状は、商品１３の外形に合わせて細長矩形状である。顧客は、貫通窓１６を通して商品１３の状態を確認することができる。基板１１に印字スペース１７が設けられている。印字スペース１７に商品に係る情報が分かりやすく表示される。【選択図】図３
0003216186.tif 000002
【実用新案登録請求の範囲】
【請求項１】
陳列される商品の外形形状に対応した貫通窓が形成され、且つ当該貫通窓の周縁に印字スペースが設けられた薄肉板と、
当該薄肉板に設けられた吊下用フックとを有する商品表示板。
【請求項２】
上記薄肉板の外形形状は矩形又は楕円であり、
上記貫通窓は、上記薄肉板の中央に設けられ、当該薄肉板の重心を通る鉛直線に沿って形成された細長矩形であり、
上記吊下用フックは、上記鉛直線上で上記貫通窓の上方に設けられている請求項１に記載の商品表示板。
【考案の詳細な説明】
【技術分野】
【０００１】
この考案は、店舗において商品の内容を表示する表示板の構造に関するものである。
【背景技術】
【０００２】
たとえばスポーツ用品の量販店では、さまざまなメーカーの商品が店舗内に陳列され、販売されている。販売促進のためにメーカーは、自己の商品の商標やスペックの内容が一目瞭然となるように、その表示を工夫する（たとえば特許文献１及び特許文献２参照）。
【先行技術文献】
【特許文献】
【０００３】
【特許文献１】特開２０１２−６６８２５号公報
【特許文献２】特開２００９−２９７５号公報
【考案の概要】
【考案が解決しようとする課題】
【０００４】
ところで、たとえば商品としてのゴルフクラブ用グリップは、その外形形状が非常に細長い円筒状を呈しているため、パッケージに当該商品の商標やスペックを分かりやすく表示することは容易でない。その一方で、パッケージの外形形状を大きくすれば、大きな陳列スペースが必要になるという問題がある。
【０００５】
この考案はかかる背景のもとになされたものであって、その目的は、陳列スペースが拡大することなく商品の内容を分かりやすく表示する商品表示板を提供することである。
【課題を解決するための手段】
【０００６】
(1) 本考案に係る商品表示板は、陳列される商品の外形形状に対応した貫通窓が形成され、且つ当該貫通窓の周縁に印字スペースが設けられた薄肉板と、当該薄肉板に設けられた吊下用フックとを有する。
【０００７】
この構成によれば、たとえば店舗に設置されている商品陳列バー（略水平方向に延びる棒状部材）に吊下用フックが掛けられる。これにより、薄肉板はフックから垂下した状態で配置される。一般に、商品陳列バーに複数の商品が並んで掛けられるが、上記フックが商品陳列バーに掛けられることにより、並べられた商品の最も前側（当該商品を求める顧客から見て手前側）に上記薄肉板が配置される。この薄肉板に貫通窓が形成されているから、顧客は、この貫通孔を通して商品陳列バーに掛けられた当該商品の外観を確認することができる。また、薄肉板の印字スペースに当該商品の商標やスペックが表示されるので、顧客は、当該商品を購入するかどうかを容易に判断できる。加えて、上記薄肉板は、並べられた商品の最も前側に吊り下げられるだけであるから、当該商品は、コンパクトに陳列されることに変わりはない。
【０００８】
(2) 上記薄肉板の外形形状は矩形又は楕円であり、上記貫通窓は、上記薄肉板の中央に設けられ、当該薄肉板の重心を通る鉛直線に沿って形成された細長矩形であり、上記吊下用フックは、上記鉛直線上で上記貫通窓の上方に設けられているのが好ましい。
【０００９】
この構成では、商品がたとえばゴルフクラブ用グリップである場合に、商品の全体を表示することができ、当該商品のスペックも分かりやすく記載される。
【考案の効果】
【００１０】
この考案によれば、陳列スペースが拡大することなく、顧客に対して商品の内容が分かりやすく表示される。
【図面の簡単な説明】
【００１１】
【図１】図１は、本考案の一実施形態に係る商品表示板１０の正面図である。
【図２】図２は、本考案の一実施形態に係る商品表示板１０の使用状態における正面図である。
【図３】図３は、本考案の一実施形態に係る商品表示板１０の使用状態における斜視図である。
【考案を実施するための形態】
【００１２】
以下、本考案の好ましい実施形態が、適宜図面が参照されながら説明される。なお、本実施の形態は、本考案に係る商品表示板の一態様にすぎず、本考案の要旨を変更しない範囲で実施態様が変更されてもよいことは言うまでもない。
【００１３】
図１は、本考案の一実施形態に係る商品表示板１０の正面図である。図２及び図３は、この商品表示板１０の使用状態における正面図及び斜視図である。
【００１４】
この商品表示板１０は、図３及び図２が示すように、商品１３（本実施形態では、ゴルフクラブ用グリップ）を表示するためのものである。図３が示すように、商品としてのゴルフクラブ用グリップ１３は、パッケージ１５（一般に透明のフィルムからなる袋）に封入された状態で提供される。従来、パッケージ１５の周縁部に、このゴルフクラブ用グリップ１３のスペックや商標が表示されており、これにより、当該商品１３の外観やスペック等が顧客に分かるようになっている。
【００１５】
図２及び図３が示すように、たとえばゴルフショップにおいて、商品としてのゴルフクラブ用グリップ１３は、店舗内に設置された陳列バー１４に吊り下げられた状態で陳列される。図３では、この状態を分かりやすく示すために、商品１３と商品表示板１０との間に空間を設けて表示されているが、実際には商品表示板１０は商品１３に近接して配置される。
【００１６】
商品表示板１０は、基板１１（特許請求の範囲に記載された「薄肉板」に相当）と、基板１１に設けられたフック１２（特許請求の範囲に記載された「吊下用フック」に相当）とを有する。基板１１は、たとえば樹脂や紙からなる薄肉の板状部材であり、その肉厚寸法は、０．３ｍｍ〜２．０ｍｍ程度に設定される。
【００１７】
基板１１の外形形状は、本実施形態では矩形である。これは陳列される商品であるゴルフクラブ用グリップ１３の形状に対応している。したがって、陳列される商品が他のものである場合は、それに対応して基盤１１の形状も設計変更されるが、一般には矩形、円形ないし楕円形が採用され得る。
【００１８】
基板１１の中央に貫通窓１６が形成されている。この貫通窓１６は、基板１１の中央が細長矩形状に切り欠かれることにより形成されている。貫通窓１６は、ゴルフクラブ用グリップ１３の外形形状に対応している。図２が示すように、基板１１とゴルフクラブ用グリップ１３とを重ねた場合に、貫通窓１６を通してゴルフクラブ用グリップ１３が看取できるようになっている。
【００１９】
この貫通窓１６は、基板１１の中心を含むように形成され、図２及び図３が示すように、基板１１の重心を通る鉛直線に沿って形成されている。なお、貫通窓１６が円形や楕円形あるいはその他の形状であっても、基板１１の重心を通る鉛直線に沿って形成されるのが好ましい。もっとも、当該重心を避けた位置に貫通窓１６が設けられてもよい。
【００２０】
貫通窓１６が設けられることにより、当該貫通窓１６の周縁に印字スペース１７が形成される。この印字スペース１７に、ゴルフクラブ用グリップ１３を示す商標、スペックのほか、製造元、販売元、これらを表す商標等が表示される。印字スペース１７が形成されることにより、商品１３に関する情報を分かりやすく表示することができる。
【００２１】
フック１２は、基板１１と一体的に形成されている。もっとも、フック１２が基板１１と別に構成され、基板１１に既知の手段により取り付けられていてもよい。フック１２は、同図が示すように鍵型を呈し、陳列バー１４に引っ掛けられるようになっている。フック１２は、基板１１の上縁中央に設けられており、これにより、基板１１は陳列バー１４から垂下した状態で配置される。
【００２２】
本実施形態に係る商品表示板１０によれば、顧客は、上記貫通窓１６を通して陳列バー１４に掛けられたゴルフクラブ用グリップ１３の外観を確認することができる。また、基板１１の印字スペース１７に当該ゴルフクラブ用グリップ１３に係る情報が分かりやすく表示されるので、顧客は、当該商品を購入するかどうかを容易に判断できる。しかも、この商品表示板１０は、並べられた商品の最も前側に吊り下げられるだけであるから、このゴルフクラブ用グリップ１３の陳列スペースに変わりはない。
【符号の説明】
【００２３】
１０・・・商品表示板
１１・・・基板
１２・・・フック
１３・・・商品
１４・・・陳列バー
１６・・・貫通窓
１７・・・印字スペース
【図１】
0003216186.tif 000003
【図２】
0003216186.tif 000004
【図３】
0003216186.tif 000005